(57)【特許請求の範囲】
【請求項１】
電子レンジにて加熱する食品またはその食品を収納した包装容器を、面板を胴貼りして形成したカートン本体に入れ、カートン本体の両端開口それぞれに位置する一対の封止フラップを貼り合わせた接着部位を有し、一方の接着部位における封止フラップと面板とにミシン目を入れて、前記一方の接着部位における封止フラップの一部を含むカートンのコーナー部分を前記ミシン目から取り除きできる電子レンジ加熱用カートンにおいて、
カートン本体の前記一方の接着部位の封止フラップにおける取り除き部分は、互いに重なり合わないように塗布されたホットメルト接着剤とコールドグルー接着剤とで貼り合わされ、カートン本体の前記一方の接着部位の封止フラップにおける取り除き部分以外の部分は、コールドグルー接着剤のみで貼り合わされていることを特徴とする電子レンジ加熱用カートン。
【請求項２】
カートン本体の前記一方の接着部位の封止フラップにおける取り除き部分では、接着部位の長さ方向に沿ってホットメルト接着剤とコールドグルー接着剤とが交互に並び、接着部位の長手方向の両端側にコールドグルー接着剤が設けられている請求項１または２に記載の電子レンジ加熱用カートン。
【発明の詳細な説明】
【０００１】
【発明の属する技術分野】
本発明は電子レンジで加熱する食品を入れたカートンやカレーのルーなど電子レンジで加熱する食品を収納した包装容器を入れたカートンであって、食品や包装容器を内部に収めた状態で電子レンジ加熱できるようにした電子レンジ加熱用カートンに関するものである。
【０００２】
【発明が解決しようとする課題】
従来、電子レンジにより加熱して食することのできる食品の内、カレーの具入りルーなどのように流動性のある食品においては、柔軟性のあるシートからなる包装容器に入れられており、図５と図６に示すようにこの包装容器ａを用いた商品にあっては、例えば積層構成の合成樹脂材製の二枚のシートｂの周縁をヒートシールして形成された収納空間ｃに食品を充填して封止し、扁平な形態としたその包装容器ａを比較的薄型とされた箱状のカートン１に入れた包装形態としている。そして、電子レンジによるマイクロ波照射にて加温する場合、電子レンジ内のターンテーブルに伏した状態でその商品を乗せるよりもカートンを立てた状態でターンテーブルに乗せてマイクロ波を受けさせる方が加熱効率がよいことや、カートンの一部を除去するとともにその包装容器の一部を開口して立てておけば電子レンジ加熱調理用の専用容器に移し替えることなく加熱が行え手間を要しないことなどから、例えば、特開平４−２１４１２６号において示されているように前記カートンを利用して包装容器を電子レンジの庫内で立て置きできるようにする試みが行われている。
【０００３】
上記カートン、特にシートの周辺をヒートシールしてなる包装容器を入れるカートンにおいては、図５に示されているようにそのカートン１を包装容器の形状に合わせて薄型のボックス状とするカートン本体２とこのカートン本体２を安定的に立て置きできるように折り起こし形式の脚部３とからなるものとして作成されており、図７に示されているように、ブランクス４としては、胴部を構成する四つの面板５、６、７、８および糊代片９とこの糊代片９に相対する一つの面板８に連接して前記脚部３となる脚形成面板１０を備えるとともに、胴貼りしたときにカートン本体の両端開口側に位置してその開口を閉鎖するための封止フラップ１１を前記各面板の両側に連接するようにしたものとなっている。三つの面板５、６、７および封止フラップ１１に入れられたミシン目１２は、上述したようにカートンの一部であるコーナー部分を取り除くことができる（図８参照）ようにするファスナー部と切り取り線部とを形成するためのものである。
そして、このブランクス４からカートン１を作成するにあたっては、上記糊代片９を面板８に接着（胴貼り）してから上記脚形成面板１０の所要個所を面板５に接着して、偏平な形態としたスリーブを得るようにしている。こののち、前記スリーブを折り起こして形成された一方の開口から上記包装容器を内部に挿入配置し、封止フラップを折り重ねた状態で接着するようにしている。ブランクスからカートンを作成する上での接着部位において、胴貼りおよび脚形成面板の接着ではコールドグルー接着剤Ａが使用されているとともに、包装容器挿入配置後の封止フラップの接着にあってはホットメルト接着剤Ｂが使用されている。このように接着部位にて接着剤が使い分けされているのは、コールドグルー接着剤がカートン作成の上で適している接着剤の一つではあるが乾燥時間を長く必要し、さらに、包装容器を挿入してから封止フラップを接着した後のカートン形状の保持時間をなるべく短くすることが生産性の向上に繋がることから、封止フラップの接着部位においては乾燥時間の短いホットメルト接着剤が使用されている。
【０００４】
しかしながら、カートンの封止フラップを接着させるために使用される上記ホットメルト接着剤は溶融温度が低く、カートンを電子レンジに入れて加熱を行なった場合に封止フラップの貼り合わせが解けてしまうことがあり、そして、図８に示すように包装容器のａの一部を切って注出口としカートン２を持って傾斜させ包装容器ａから内容物を注ぎ出す場合に、下側になった封止フラップ１１の接着部位が開いてしまい、中の包装容器が抜け落ちる可能性があるなど、加熱されたことによる不良が発生し易くなる。
そこで本発明は、収容物を収めてから重ね合わせる封止フラップを乾燥時間の短いホットメルト接着剤を用いて接着して保形を行ない易くしながらも、電子レンジ加熱を行なった際にはホットメルト接着剤を用いた接着部位が確実に貼り合わせられているようにすることを課題とし、上述した内容物の注出の際に包装容器の抜け落ちが生じないようにすることを目的とする。
【０００５】
【課題を解決するための手段】
本発明は上記課題を考慮してなされたもので、電子レンジにて加熱する食品またはその食品を収納した包装容器を、面板を胴貼りして形成したカートン本体に入れ、カートン本体の両端開口それぞれに位置する一対の封止フラップを貼り合わせた接着部位を有し、一方の接着部位における封止フラップと面板とにミシン目を入れて、前記一方の接着部位における封止フラップの一部を含むカートンのコーナー部分を前記ミシン目から取り除きできる電子レンジ加熱用カートンにおいて、カートン本体の前記一方の接着部位の封止フラップにおける取り除き部分は、互いに重なり合わないように塗布されたホットメルト接着剤とコールドグルー接着剤とで貼り合わされ、カートン本体の前記一方の接着部位の封止フラップにおける取り除き部分以外の部分は、コールドグルー接着剤のみで貼り合わされていることを特徴とする電子レンジ加熱用カートンを提供して、上記課題を解消するものである。
そして、本発明においては、カートン本体の前記一方の接着部位の封止フラップにおける取り除き部分では、接着部位の長さ方向に沿ってホットメルト接着剤とコールドグルー接着剤とが交互に並び、接着部位の長手方向の両端側にコールドグルー接着剤が設けられているものとすることが可能である。
【０００６】
【発明の実施の形態】
カートン１は図１に示すようにその内部にカレーの具入りルーなどの流動性のある食品が入れられた包装容器ａをその内部に収めているものであり、脚形成面板１０と面板５との接着部位１３、糊代片９と面板８との接着部位１４とはそれぞれコールドグルー接着剤を用いて接着されているものであり、また、カートン本体２の対向二面（胴貼り形成時におけるカートン本体の両端開口の部分）に位置して重ね合わされている一対の封止フラップ１１の接着部位１５ではホットメルト接着剤とコールドグルー接着剤との両者を用いて接着されているものである。そして、図２はカートンを展開してブランクスの状態で各接着剤の塗布位置を示していて、前記脚形成面板１０と面板５との接着部位１３を構成するために脚形成面板１０にコールドグルー接着剤１６が塗布され、また、糊代片９と面板８との接着部位１４では糊代片９側にコールドグルー接着剤１６が塗布されている。そして、封止フラップ１１を重ね合わせて接着した接着部位１５では、面板７の両側に連接している封止フラップ１１にコールドグルー接着剤１６とホットメルト接着剤１７との両接着剤が互いに重なり合うことなく塗布されてて、この両接着剤１６、１７は封止フラップ１１の長手方向に亘って直線状としている。なお、図２では両接着剤１６、１７が既に設けられた状態で示しているが、偏平なスリーブを形成する時点で前記脚形成面板１０と糊代片９とにコールドグルー接着剤１６が塗布され、包装容器を収納して封止フラップ１１を閉じるときにコールドグルー接着剤１６とホットメルト接着剤１７とがその封止フラップ１１に塗布される。
このように封止フラップ１１にコールドグルー接着剤１６とホットメルト接着剤１７との両接着剤を塗布してその封止フラップ１１相互を接着するようにしているため、包装容器を挿入して封止フラップ１１を重ね合わせ接着した初期の時点では前記ホットメルト接着剤１７が早期に乾燥して接着性能を発揮するようになり、折り重ねられた封止フラップ相互を確実に接着させるまでの外部からの保形操作を短時間で終了させることができる。そして、コールドグルー接着剤１６もその後に接着性能を発揮し、カートンを電子レンジに入れてカートン内部の食品を加熱調理するようになる時点では既にコールドグルー接着剤１６とホットメルト接着剤１７との両接着剤にて封止フラップ１１相互が確実に接着された状態となり、さらに、このコールドグルー接着剤１６の溶融温度が高く耐熱性を有するものとなっていることから、加熱された場合においても前記コールドグルー接着剤１６による接着力で封止フラップ１１の接着状態が維持され、その接着状態が解けるのを確実に防止できるようになる。よって、加熱後にカートン１を持って傾斜させ内部の包装容器から内容物を注出させるような場合でも、下になった封止フラップ１１の重なりが開かず、包装容器の抜け落ちを確実に防止できる。
【０００７】
二条にしてコールドグルー接着剤１６とホットメルト接着剤１７を設けるようにコールドグルー接着剤１６とホットメルト接着剤１７とを用いると、上述した効果がある。そこで本発明では、図３の第一の実施の例に示すように、ミシン目１２を入れて切り取りできるようにしたカートンａのコーナー部分にかかる封止フラップ１１において、その接着部位１５での取り除き部分では、コールドグルー接着剤１６を直線状に塗布し、ホットメルト接着剤１７を点状に塗布しており、前記接着部位１５での取り除き部分以外の部分では、コールドグルー接着剤１６のみとしてこれを直線状に塗布しており、内容物の注出時に傾斜によって荷重が加わる側に位置する接着部位であっても、加熱前にそのホットメルト接着剤の塗布部分を含むコーナー部分が取り除かれるため、カートン本体側に残った封止フラップ１１（コールドグルー接着剤で貼り合わされている）の貼り合わせよりなる接着部位で包装容器を支持できる。
【０００８】
図４は第二の実施の例を示している。この実施の例は上記封止フラップ１１の幅が狭い場合を示しており、カートンａのコーナー部分にかかる封止フラップ１１において、接着部位１５での取り除き部分では封止フラップ１１の長さ方向に沿ってホットメルト接着剤１７とコールドグルー接着剤１６とが交互に並ぶように封止フラップ１１の中央側にホットメルト接着剤１７を点状に塗布してその両側にコールドグルー接着剤１６を直線状に塗布し、その接着部位１５の長手方向の両端側にコールドグルー接着剤１６が位置するようにして設けられ、前記接着部位１５での取り除き部分以外の部分では、コールドグルー接着剤１６のみとしてこれを直線状に塗布している。このように、接着部位の長手方向の両端側にコールドグルー接着剤１６が位置するようにすれば、例え電子レンジによる加熱で中央のホットメルト接着剤１７の接着力が低下したとしても、接着部位両側においてコールドグルー接着剤１６にて確実に接着が行われているため、カートンの保形が確実なものとなる。
【０００９】
上記ホットメルト接着剤としてはエチレン−酢酸ビニル共重合体樹脂などが採用でき、また、コールドグルー接着剤としてはエマルジョン系樹脂であって、酢酸ビニル樹脂エマルジョンなどが採用できる。
【００１０】
【発明の効果】
以上説明したように、本発明によれば、電子レンジにて加熱する食品またはその食品を収納した包装容器を、面板を胴貼りして形成したカートン本体に入れ、カートン本体の両端開口それぞれに位置する一対の封止フラップを貼り合わせた接着部位を有し、一方の接着部位における封止フラップと面板とにミシン目を入れて、前記一方の接着部位における封止フラップの一部を含むカートンのコーナー部分を前記ミシン目から取り除きできる電子レンジ加熱用カートンにおいて、カートン本体の前記一方の接着部位の封止フラップにおける取り除き部分は、互いに重なり合わないように塗布されたホットメルト接着剤とコールドグルー接着剤とで貼り合わされ、カートン本体の前記一方の接着部位の封止フラップにおける取り除き部分以外の部分は、コールドグルー接着剤のみで貼り合わされていることを特徴とするものであり、このようにホットメルト接着剤とコールドグルー接着剤とを併用していることから、ホットメルト接着剤塗布後の早期にそのホットメルト接着剤での保形が行なえるとともに、コールドグルー接着剤の働きにより電子レンジ加熱された接着部位の剥がれを確実に防止してこれもカートンの保形が行なえるようになるなど、実用性に優れた効果を奏するものである。
【図面の簡単な説明】
【図１】  電子レンジ加熱用カートンを示す説明図である。
【図２】  電子レンジ加熱用カートンを展開した状態で示す説明図である。
【図３】  本発明における電子レンジ加熱用カートンの第一の実施の例におけるホットメルト接着剤とコールドグルー接着剤の塗布パターンを示す説明図である。
【図４】  同じくホットメルト接着剤とコールドグルー接着剤の塗布パターンの第二の実施の例を示す説明図である。
【図５】  従来例を示す説明図である。
【図６】  包装容器を示す説明図である。
【図７】  従来例を展開した状態で示す説明図である。
【図８】  包装容器の抜け落ちを示す説明図である。
【符号の説明】
ａ…包装容器
１…カートン
２…カートン本体
５、６、７、８…面板
９…糊代片
１０…脚形成面板
１１…封止フラップ
１３、１４、１５…接着部位
１６…コールドグルー接着剤
１７…ホットメルト接着剤
【図１】
0003654489.tif 000002
【図２】
0003654489.tif 000003
【図３】
0003654489.tif 000004
【図４】
0003654489.tif 000005
【図５】
0003654489.tif 000006
【図６】
0003654489.tif 000007
【図７】
0003654489.tif 000008
【図８】
0003654489.tif 000009